(57)【要約】      （修正有）【課題】設置、使用後の格納などの取り扱いが極めて容易であり、内部に居住する被災者のプライバシー及び心身の健康を守ることができる災害避難所用間仕切りを提供する。【解決手段】略矩形状の弾性ワイヤー１の内面に不透明シート材２を張設した複数の間仕切り材Ｍ１、Ｍ２のそれぞれ両側端を相互に折畳み自在に連結して筒状の周壁部Ｓが形成され、一つの間仕切り材Ｍ１に開閉自在の出入口３が形成された災害避難所用間仕切りである。好ましくは、筒状の周壁部の上端部に半透明の屋根シート７が開閉自在に設けられ、さらに筒状の周壁部の下端部に床シートが連結される。【選択図】図３
0003228374.tif 000002
【実用新案登録請求の範囲】
【請求項１】
略矩形状の弾性ワイヤーの内面に不透明シート材を張設して間仕切り材が形成され、複数の間仕切り材のそれぞれ両側端を相互に折畳み自在に連結して筒状の周壁部が形成され、一つの間仕切り材に開閉自在の出入口を形成したことを特徴とする災害避難所用間仕切り。
【請求項２】
筒状の周壁部の上端部に半透明の屋根シートを開閉自在に設けたことを特徴とする請求項１に記載の災害避難所用間仕切り。
【請求項３】
筒状の周壁部の下端部に床シートを連結したことを特徴とする請求項１又は２に記載の災害避難所用間仕切り。
【考案の詳細な説明】
【技術分野】
【０００１】
本考案は、災害時に体育館などの避難所に設置されて、内部に居住する被災者のプライバシー及び心身の健康を守ることができる災害避難所用間仕切りに関する。
【背景技術】
【０００２】
災害時に体育館などの広い屋内で多数の人（世帯）が共同生活を余儀なくされる避難生活に使用されて、集団避難生活において生じがちであったストレスの蓄積や体調を不調にしてしまうことを未然に防ぐことを可能にする屋内用避難テントとして、カマボコの輪郭状をなすように撓み可能なグラスファイバー材やアルミ材などにより形成されて前後端に配置されるメインフレームと、該メインフレームの天井側と床部において連結するサブフレームとからなり、左右の側壁から天井壁まで一体となった天蓋側壁部と、この天蓋側壁部の前後壁部と、床となる底壁と、前記天井壁は透明乃至半透明の織布やシート地などの生地により形成され、側壁は光を通さないか通しにくい不透明な織布やシート地などの生地により形成され、前壁部に開放、閉鎖できる出入口、側壁に窓孔を設けた屋内用避難テントが提案されている（特許文献１）。
【先行技術文献】
【特許文献】
【０００３】
【特許文献１】登録実用新案第３１０９２３４号公報
【考案の概要】
【考案が解決しようとする課題】
【０００４】
前記の屋内用避難テントは、メインフレームとサブフレーム、左右の側壁から天井壁まで一体となった天蓋側壁部、該天蓋側壁部の前後壁部及び床となる底壁を準備するとともに、その組立て作業、組立て使用後の解体作業及び格納などの取り扱いに問題を残すものであった。
【０００５】
本考案は、災害時に体育館などの避難所に設置される災害避難所用間仕切りに関し、その設置、設置使用後の格納などの取り扱いが極めて容易である特徴とする。
【課題を解決するための手段】
【０００６】
前記課題を解決するため、本考案の災害避難所用間仕切りは、略矩形状の弾性ワイヤーの内面に不透明シートを張設して間仕切り材が形成され、複数の間仕切り材のそれぞれ両側端を相互に折畳み自在に連結して筒状の周壁部が形成され、一つの間仕切り材に開閉自在の出入口を形成したことを特徴とする（請求項１）。
【０００７】
本考案の間仕切り材は略矩形状の弾性ワイヤーと、その内面に張設された不透明シートからなり、さらに複数の間仕切り材の両端部を相互に折畳み自在に連結して筒状の周壁部が形成される。なお、筒状の周壁部の高さは大人の身長程度とされる。また、筒状の周壁部の内部への出入りは、一つの間仕切り材に開閉自在に形成した出入口から行われる。
【０００８】
前記弾性ワイヤーと不透明シートを張設して形成したそれぞれの間仕切り材は軽量であり、柔軟性を有し、該間仕切り材のそれぞれ両側端を相互に折畳み自在に連結した筒状の周壁部も柔軟性を有する。
【０００９】
したがって、筒状の周壁部のそれぞれの弾性ワイヤーを順次円形に揃えて重合することにより全体を円形状に折畳むことができる。また、折畳み状態を解除することにより弾性ワイヤーが伸長して当初の筒状の周壁部に自然に復帰させられる。
【００１０】
前記の通り、本考案は、組立て、組立て使用後の解体作業を必要とせず、設置及び設置使用後の格納などの取り扱いが極めて容易でありとともに、筒状の周壁部により内部に居住する被災者のプライバシー及び心身の健康を守ることができる。
【００１１】
本考案の一実施例は、筒状の周壁部の上端部に半透明の屋根シートを開閉自在に設けたことを特徴とする（請求項２）。この実施の一形態によれば、屋根シートを閉じることにより周壁部の上方からの他者の目線を防止することができる。なお、屋根シートを半透明の白色材にすれば周壁部内部の明るさを維持することができる。また、屋根シートを開放することにより屋根なしの開放感を味合うことができる。
【００１２】
本考案の他の一実施例は、筒状の周壁部の下端部に床シートを連結したことを特徴とする（請求項３）。この実施の一形態によれば、内部のシールド効果が高められ周壁部の内部への細菌、塵埃等の侵入が防止される。
【考案の効果】
【００１３】
本考案によれば、設置、設置使用後の格納などの取り扱いが極めて容易である。また、内部に居住する被災者のプライバシー及び心身の健康を守ることができる。
【図面の簡単な説明】
【００１４】
【図１】本考案の一実施例の災害避難所用間仕切りの正面図である。
【図２】出入口の開放状態を示す正面図である。
【図３】屋根シートの閉じ状態を示す正面斜視図である。
【図４】屋根シートの開放状態を示す正面斜視図である。
【図５】図１のＡ−Ａ線断面図である。
【考案を実施するための形態】
【００１５】
以下に、図面を参考に本考案の一実施例を説明する。
【００１６】
略矩形状の弾性ワイヤー１の内面に不透明シート材２を張設して間仕切り材Ｍが形成される。弾性ワイヤー１と不透明シート材２の張設部の一例を図５に示す。
【００１７】
図５では、弾性ワイヤー１として帯状のスチール材が使用されて、該帯状のスチール材１を不透明シート材２の周端縁で包み込むことにより不透明シート材２を弾性ワイヤー１の内面に張設してなる。
【００１８】
図面実施例では、図２に示すように、４枚の間仕切り材Ｍ１〜Ｍ４を前後左右に配置してそれぞれの両側端を相互に折畳み自在に連結して筒状の周壁部Ｓが形成されている。該間仕切り材Ｍの相互に折畳み自在の連結は不透明シート２両測端を直接連結することのほか、別に用意した可撓性シートを介在させて連結することにより行われる。
【００１９】
さらに、一つの間仕切り材Ｍ、図面では正面の間仕切り材Ｍ１に開閉自在の出入口３が形成される。該出入口３は図１に示すように間仕切り材Ｍ１の略中央部を略Ｕ字状に切断して開閉シート４を形成し、該開閉シート４がジッパー５を介して開閉自在に形成されている。さらに図２に示すように出入口３を形成する開閉シート４は巻き上げ可能とされて巻き上げ上端部には巻き上げ状態を維持する保持部材６が設けられる。
【００２０】
さらに、前記筒状の周壁部Ｓの上端部に半透明の白色材からなる屋根シート７が開閉自在に設けられる。該屋根シート７は図３に示すように筒状の周壁部Sを構成する間仕切り材&#8559;１〜Ｍ４の上端部にジッパー８により開閉自在に設けられる。また、屋根シート７は不使用時には巻き取り部９に集束自在にされる。
【００２１】
さらに、図２に示すように、内部のシールド効果を高めるために前記筒状の周壁部Ｓの下端部にはアルミシート等からなる床シート１０が連結して設けられる。
【００２２】
前記構成の本考案は、組立て作業、組立て使用後の解体作業を必要とせず、設置及び設置使用後の格納などの取り扱いが極めて容易であり、内部に居住する被災者のプライバシー及び心身の健康を守ることができる。
【符号の説明】
【００２３】
１    弾性ワイヤー
２    不透明シート
３    出入口
５    ジッパー
７    屋根シート
１０  床シート
Ｍ１〜Ｍ４    間仕切り材
Ｓ    筒状の周壁部
【図１】
0003228374.tif 000003
【図２】
0003228374.tif 000004
【図３】
0003228374.tif 000005
【図４】
0003228374.tif 000006
【図５】
0003228374.tif 000007